(57)【要約】【課題】本発明は、足指から踵までの各骨へのサポート力・矯正力（圧力）を全体的にバランスを取りつつ、足指への段階的に開放する健康促進用の五本指靴下を提供する。【解決手段】  本健康促進用靴下では、各指袋は、先端側を閉鎖した根元側を開放する略筒形状であり、少なくとも末節骨及び中節骨の位置を被覆し、本体部は、概ね先端側から足首側まで筒状に形成され、その先端縁部で各指袋の根元側と連結するように各指袋の根元側の開放と繋がる孔を有し、綿糸及び／又は化学繊維をタック編みした少なくとも基節骨の位置を被覆する先端部と、先端部と連結して弾性糸と綿糸及び／又は化学繊維との組み合わせをタック編みした少なくとも中足骨の位置を被覆する中央部とを有する。【選択図】  図４
2022001675.tif 000002
【特許請求の範囲】
【請求項１】
足指それぞれに対応して指袋と各指袋の根元全てに連結する本体部と踵に対応する踵袋とを有する健康促進用靴下であって、
前記各指袋は、先端側を閉鎖した根元側を開放する略筒形状であり、少なくとも末節骨及び中節骨の位置を被覆し、
前記本体部は、概ね先端側から足首側まで筒状に形成され、その先端縁部で各指袋の根元側と連結するように各指袋の根元側の開放と繋がる孔を有し、綿糸及び／又は化学繊維をタック編みした少なくとも基節骨の位置を被覆する先端部と、先端部と連結して弾性糸と綿糸及び／又は化学繊維との組み合わせをタック編みした少なくとも中足骨の位置を被覆する中央部とを有する、健康促進用靴下。
【請求項２】
前記先端部より足先側の各指袋は、綿糸及び／又は化学繊維を平編みして形成する、請求項１に記載の健康促進用靴下。
【請求項３】
前記本体部は、前記中央部と連結して足首側まで延びて、中足骨又は楔状骨から少なくとも脛骨の一部の位置まで被覆する後半筒状部と、該後半筒状部から踵側に突出して少なくとも踵骨の一部を被覆する踵袋部とを有し、
前記後半筒状部及び踵袋部は、タック編みで形成される、請求項１又は２に記載の健康促進用靴下。
【請求項４】
前記本体部の後半筒状部の後縁部は、脛骨側の端部位置の周囲に弾性糸と綿糸及び／又は化学繊維との組み合わせをリブ編みし、他の脛骨の周囲を綿糸及び／又は化学繊維のタック編みとする、請求項１〜３のいずれか１項に記載の健康促進用靴下。
【請求項５】
前記本体部の後半筒状部の後縁部は、足首の位置の周囲を被覆する、請求項３又は４に記載の健康促進用靴下。
【発明の詳細な説明】
【技術分野】
【０００１】
本発明は、足を適正にサポートしつつ良好な血液循環や足の矯正を含む健康促進効果を有する健康促進用靴下に関する。
【背景技術】
【０００２】
従来より、様々な種類の靴下が知られており、その１つに足指それぞれを別々に挿入・被覆する指袋を有する所謂五本指靴下が存在する。例えば、特許文献１では横編機により無縫製で筒状に編成された指袋を有する靴下を開示している。この靴下は、各足指に対応する指袋のうち、少なくとも親指を挿入する第一指指袋または人差指を挿入する第二指指袋が、指の長さ方向への伸縮率が大きい編組織で編成された部分を有し、指の長さ方向への伸縮率が大きい編組織の部分がガーター編、または、リンクス編で形成され、指袋の指股部近くにおいて、帯状に全周に亘って形成されるものが知られている。
【０００３】
この特許文献１の靴下の場合、指袋の少なくとも親指を挿入する第一指指袋または人差指を挿入する第二指指袋に、指の長さ方向への伸縮率が大きい編組織で編成された部分を有するので、指袋に指の長さ方向への良好な伸縮性が得られることになり、第一指と第二指との長さに個人差があっても着用時に常に足の指を良好にフィットさせることができる。
【０００４】
一方、足指及び足全体の状態がリンパの流れの活性化に大きく影響することが知られており、靴下によって足指及び足全体を矯正してリンパや血液の流れを活性化させ、健康維持させる方法が提唱されている（非特許文献１）。上記特許文献１のような従来型の靴下の場合、足指の着用性の向上をなすことは可能であるが、健康促進に寄与するまでの視点や知見は存在していなかった。これに対して、本発明者は、長年にわたって足指及び足全体を矯正しつつリンパを含む血液の流れを良くする方法を研究し、これに適正な健康促進用の五本指靴下を開発・提供してきた（非特許文献２）。
【０００５】
詳細には後述するが、上記従前より提供してきた健康促進用の五本指靴下では、踵付きの略筒状に形成することで足指から踵までをしっかりズレないように位置決めし、靴下全体を丸編み等の綿糸及び／又は化学繊維による通常のニット編みをベースとしつつ中足骨に相当する位置では弾性糸を組み合わせたニット編みとすることで、適正圧力で締め付けて足指から踵までのアーチを矯正し、サポートする構造を有している。
【０００６】
さらに、近年、本発明者らの知見及び開発してきた健康促進用の五本指靴下からの教示に基づいた種々の改良五本指靴下が開発され、例えば特許文献２の五本指靴下では、弾性糸と綿糸及び／又は化学繊維との組み合わせた丸編みしているが、弾性糸を引き延ばした状態で編み込むことで第二指〜第五指の足指のＰＩＰ関節（中節骨と基節骨の間の関節）を伸ばす方向に所定以上の圧力を加え、これにより足指の伸ばし易さを増強する具体的な構造例が提案されている。
【０００７】
しかしながら、特許文献２の五本指靴下の場合、従来の弾性糸と綿糸及び／又は化学繊維との組み合わせで丸編み等の通常のニット編みしていた中足骨より前方の足先部分（基節骨より先端）の弾性糸を引き延ばすことで弾性効果を変更したに過ぎない。たしかに、弾性糸を外して綿糸及び／又は化学繊維で丸編み等していた従来の足先部分に対して簡易な製造工程で弾性力の調整をし易くなった点に改良は見られるが、中足骨近傍をきつく締め付け、足先部分をそれより緩い締め付けにし開放するという非特許文献１〜２の考え方を単に踏襲したものであり、足指及び足全体に対する新たな知見を加えた先進的な思想に基づく改良技術ではなかった。
【先行技術文献】
【特許文献】
【０００８】
【特許文献１】特開２００８−６３６９９号公報
【特許文献２】特開２０１８−３５４４８号公報
【非特許文献】
【０００９】
【非特許文献１】「「足の指」まっすぐ健康法（ＫＡＷＡＤＥ夢新書（著者  松藤文男ほか）) 」発行日2008/12/23
【非特許文献２】「CSソックスと足の健康の話-足の指を伸ばすと人生が変わる！ (ファイブコンフォート（著者  松藤文男ほか)）」発行日 2011/1/1
【発明の概要】
【発明が解決しようとする課題】
【００１０】
本発明は上記実情に鑑みて創作されたものであり、足指から踵までの各骨へのサポート力・矯正力（圧力）を全体的にバランスを取りつつ、足指の段階的な進展を促す健康促進用の五本指靴下の具体的な構成例を提供することを目的としている。
【００１１】
とりわけ本発明は、従来（非特許文献２等）及び特許文献２の健康促進用の五本指靴下では提供が難しかった足首までの所謂ショートソックスまで適用可能な健康促進用の五本指靴下を提供している。
【課題を解決するための手段】
【００１２】
上記目的を達成するために、本発明は創作されたものであり、
足指それぞれに対応して指袋と各指袋の根元全てに連結する本体部と踵に対応する踵袋とを有する健康促進用靴下であって、
前記各指袋は、先端側を閉鎖した根元側を開放する略筒形状であり、少なくとも末節骨及び中節骨の位置を被覆し、
前記本体部は、概ね先端側から足首側まで筒状に形成され、その先端縁部で各指袋の根元側と連結するように各指袋の根元側の開放と繋がる孔を有し、綿糸及び／又は化学繊維をタック編みした少なくとも基節骨の位置を被覆する先端部と、先端部と連結して弾性糸と綿糸及び／又は化学繊維との組み合わせをタック編みした少なくとも中足骨の位置を被覆する中央部とを有する。
【００１３】
本発明の健康促進用靴下では、まず所謂五本指靴下の足先を除く部分全体を綿糸及び／又は化学繊維によるタック編みをベース編みとしている。タック編みとは、詳細には後述するが平編みや丸編みのような普通の編み目（メリヤス編み）の中にひとつの編み目の中に２回分の糸をかける部分を設けて交互に編む編み方を言う。このタック編みは、耐久性がありながら横方向への伸びが通常の編み目より大きくなり通気性が増す点では利点を有するが、生地的には糸量が多くなりコストは掛かる点、縦方向（長手方向）の伸縮性が小さい点では欠点となる場合がある。
【００１４】
これまで五本指の健康促進用靴下では足（特に中足骨の位置）をしっかり締め付けてサポートする点ではタック編みを採用する利点もあったが、その反面、タック編みではＰＩＰ関節及びこれより先の足指の縦方向の伸縮性を確保することはできなかった。また、タック編みの場合、縦方向の伸縮性が小さいため履き難いという問題もあった。
【００１５】
これに対して本発明の健康促進用靴下では、まず中足骨の位置の中央部には綿糸及び／又は化学繊維に弾性糸を編み込んだタック編みとし、横方向には伸縮するが縦方向の伸縮性は小さいというタック編みの特性に加え、横方向には弾性糸（所謂ゴム糸）を編み込むことで伸縮性を小さくし、従来の平編み等の普通のニット編み（メリヤス編み：後述）に弾性糸を編み込んだ場合（詳細は後述）よりも中足骨へのサポート力を高めている。
【００１６】
これに加え本健康促進用靴下では、少なくとも基節骨の位置（ＰＩＰ（Proximal InterPhalangeal joint）関節（第２関節）の位置にかかることもある）を被覆する足指手前の先端部において、弾性糸を外したタック編みにしている。このため横方向に比して縦方向の伸縮性が小さく堅いため指袋に至るまでに足指を伸展させる方向に圧力をかけながら足指を拡げる方向への自由度を確保している。このため足指の変形に対する矯正効果を有しながら装着時の動き難さも低減されている。
【００１７】
また、前記先端部より足先側の各指袋は、綿糸及び／又は化学繊維を平編みして形成する、ことが好ましい。
【００１８】
本健康促進用靴下によれば、指袋は弾性糸の編み込みのない普通のニット編み（メリヤス編み）を採用しており、とりわけ好ましくは平編みを採用している。これにより、上述する基節骨の位置を被覆する先端部より先の部分の指袋が伸縮性が大きくなり、圧力もあまりかからないので、履きやすさと足先の自由度を確保しながら同時に、中足骨に概ね位置する中央部から基節骨に概ね位置する先端部、ＰＩＰ関節より足先の部分の指袋に至るまで締め付ける力（サポートする力）を段階的に緩和することができる。とりわけ、足の矯正に対して最もサポートすべき中足骨を綿糸及び／又は化学繊維と弾性糸とのタック編みにして縦方向及び横方向を十分な圧力を付与し、縦方向の指の伸展と横方向のある程度の自由度を確保したい基節骨近傍を弾性糸を外したタック編みにして縦方向の圧力中心に付与し、そのより足先の指袋の伸展を確保すべく普通のニット編み（メリヤス編み）、特に平編みにして縦方向及び横方向の自由度を付与している点で２段階の編み方で区分けしている従来製品に比して足の詳細な部位に合わせた調整がなされている点で有利である。
【００１９】
また、前記本体部は、前記中央部と連結して足首側まで延びて、中足骨又は楔状骨から少なくとも脛骨の一部の位置まで被覆する後半筒状部と、該後半筒状部から踵側に突出して少なくとも踵骨の一部を被覆する踵袋部とを有し、
前記後半筒状部及び踵袋部は、タック編みで形成される、ことが好ましい。
【００２０】
この好適な例によれば、上述したように弾性糸を組み込んだタック編みの中央部、弾性糸を外したタック編みの先端部、普通のメリヤス編み（特に平編み）の指袋、それ以外の本体部全体と踵部とをタック編みを採用しており、これにより筒状且つ踵部を設けてた五本指靴下において踵と指先を基準して中足骨、基節骨、ＰＩＰ関節等の各部位に中央部、先端部、指袋を位置決めし易くなる。
【００２１】
また、前記本体部の後半筒状部の後縁部は、脛骨側の端部位置の周囲に弾性糸と綿糸及び／又は化学繊維との組み合わせをリブ編みし、他の脛骨の周囲を綿糸及び／又は化学繊維のタック編みとする、ことができる。
【００２２】
本健康促進用靴下は通常の脛骨上部又は中部まで至る靴下形状であり、脛骨側の周囲を弾性糸と綿糸及び／又は化学繊維とのリブ編み（後述）とし、その他を弾性糸がないタック編みとしている。従来のような通常の平編み等のメリヤス編みで形成した場合、しっかりとしたサポート及び各部位へ位置決めが要求される健康促進用靴下でズレ落ちを防止するには、端部を靴下において一般的な弾性糸と綿糸及び／又は化学繊維とのリブ編みにするだけでは足りず、別途、脛骨下方（足首近傍）の位置に綿糸及び／又は化学繊維と弾性糸とを組み合わせた部分が必要であったが、本発明の健康促進用靴下では全体としてタック編みを採用しているため、しっかりと位置決めされるため端部近傍の弾性糸入りのリブ編みでズレ落ちが防止される。
【００２３】
さらに、前記本体部の後半筒状部の後縁部は、足首の位置の周囲を被覆する、こともできる。
【００２４】
上述するように通常の平編み等を採用していた従来製品では、ズレ落ち防止のために端部以外の足首位置に弾性糸を入れる必要があり、２箇所に弾性糸を入れていたため脛骨周囲のスペース（丈）が短くなる所謂ショートソックスを提供することが難しかったが、本健康促進用靴下では端部のみ弾性糸入りのリブ編みとすれば足りるため所謂ショートソックスを提供することも可能になった。
【図面の簡単な説明】
【００２５】
【図１】従来の健康促進用靴下を示す略図である。
【図２】普通のニット編みを示す模式図である。
【図３】（ａ）は従来の健康促進用靴下の略側面図、（ｂ）は本発明の第一の実施形態としての健康促進用靴下の略側面図である。
【図４】本発明の第一の実施形態としての健康促進用靴下を示す略図である。
【図５】タック編みを示す模式図である。
【図６】本発明の第二の実施形態としての健康促進用靴下を示す略図である。
【発明を実施するための形態】
【００２６】
以下、従来の健康促進用靴下の説明をしつつ、本発明の健康促進用靴下の実施の形態を図面を参照して説明する。なお、本明細書及び図面に示された各構成要素の参照番号において、下一桁以降が同一のものは概ね同種の構成要素を示すものとして理解されたい。
【００２７】
≪従来の健康促進用靴下例≫
図１には従来の五本指タイプの健康促進用靴下の左足用を示す図である。図１の実施の形態の健康促進用靴下１００は、概ね上端部（図１の上端）を開口する筒形状の本体部（指袋１００ａ以外）と各五指に対応する指袋１００ａとで形成される。
【００２８】
この健康促進用靴下１００には、下方から順に概ね、前記指袋１００ａと、指袋を先端に備えて中足骨の先端近傍に至る先端部１００ｉと、先端部１００ｉの上端と連続結合して概ね中足骨全体に亘って位置する中央部１００ｂと、中央部１００ｂの上端と連続結合して概ね中楔状骨から距骨近傍に位置する足根元部１００ｃ、足根元部１００ｃの上端と連続結合して概ね脛骨下方から中上方までに位置する脛部１００ｆ、脛部１００ｆの上端と連続結合して上端部までに至る第一ズレ落ち防止部１００ｇ、で構成され、それぞれ編み方が異なっている。また脛部１００ｆは、脛部１００ｆの中間位置下方に第二ズレ落ち防止部１００ｈを有している。この第二ズレ落ち防止部１００ｈは、足首部１００ｅを挟んで足根元部１００ｃ及び踵部１００ｄの上端に繋がっている。
【００２９】
上記従来タイプの健康促進用靴下を構成する各部分１００ａ〜１００ｉについて、まず指袋１００ａは、先端（図１の下端）を閉鎖し内部で上方に開口しており、対応する各足指をそれぞれ挿入することで各足指を被覆する。具体的に第１指（親指）は指袋１００ａの（１）、第２指は指袋１００ａの（２）、第３指は指袋１００ａの（３）、第４指は指袋１００ａの（４）、第５指は指袋１００ａの（５）にそれぞれ挿入・被覆される。
【００３０】
また、指袋１００ａは五指それぞれ一体被覆するように健康促進用靴下１００の本体部に連続結合しており、指袋１００ａから後述の中央部１００ｂに至るまでを先端部１００ｉとして同じ編み方で形成されている。この先端部１００ｉの編み方は、靴下の編み方として比較的耐久性を有する汎用の二ット編み（メリヤス編み）である平編み等で綿糸及び／又は化学繊維の使用により形成される。
【００３１】
ここで靴下の編み方として綿糸及び／又は化学繊維での汎用のニット編み（平編み、丸編み等のメリヤス編み）について言及する。一般的なニット編みは、１本の糸から編み目を作りながら、ループと呼ばれる輪を繋ぎ合わせて作る面生地であり、図２に示すように１本の綿糸及び／又は化学繊維１ａでループが横方向に進みながら作られ、その綿糸及び／又は化学繊維１ａの各ループごとに縦１段下の綿糸及び／又は化学繊維ｂをくわえた編針（図示せず）が綿糸及び／又は化学繊維１ａの各ループの間を潜り抜けて新たな綿糸及び／又は化学繊維１ｂの各ループを繋ぎ、同様に綿糸及び／又は化学繊維１ｂの各ループにおいてもさらに縦１段下の綿糸及び／又は化学繊維１ｃの各ループを繋ぎ、綿糸及び／又は化学繊維１ｃの各ループにおいてもさらに縦１段下の綿糸及び／又は化学繊維１ｄの各ループを繋いでいく工程を繰り返して作成されている。
【００３２】
このように本明細書では、各ループを縦１段下のループと繋ぐ編み方を「普通の編み方」と称している。このような編み方の場合、縦方向及び横方向ともに伸縮性があるという特長を有する。また、図２のニット編みにおいて伸縮性を確保しつつ、伸びても元に戻る圧力がかかるように補強糸として弾性糸（ストレッチ糸）を組み合わせる場合もある。さらに、一般的に靴下では、綿糸及び／又は化学繊維である表糸とポリウレタンやＦＴＹ等の化学繊維とを図２のニット編み（メリヤス編み）で行う場合も多い。
【００３３】
再び図１に戻って先端部１００ｉの上端には中央部１００ｂが連続結合している。この中央部１００ｂは概ね中足骨の周囲に所定以上の圧力をかけて中足骨のアーチを矯正する。この中央部１００ｂは綿糸及び／又は化学繊維を使用した上述のニット編みが採用されており、中足骨へのサポート力（アーチへの矯正力）を増加させるために弾性糸を組み合わせている。
【００３４】
また、中央部１００ｂの上端では距骨近傍の周囲を被覆する足根元部１００ｃが連続結合している。足根元部１００ｃは先端部１００ｉと同様に弾性糸を含まないニット編みで形成されている。足根元部１００ｃの上端では脛骨下端近傍の周囲を被覆し、弾性糸を含まないニット編みで形成される足首部１００ｅが連続結合している。
【００３５】
先端部１００ｉ、中央部１００ｄ、足根元部１００ｃ、足首部１００ｅ、脛部１００ｆまでは概ね一体の筒形状であり、足首部１００ｅの下端に連続結合し、その足底側には踵骨を位置決めして踵を挿入・固定する踵部１００ｄが突出している。この踵部１００ｄの弾性糸を含まないニット編みで形成され、踵部１００ｄと指袋１００ａとで足を前後に位置決めする。
【００３６】
足首部１００ｅの上端には履いた状態の略側面の図３（ａ）にも示すように脛骨の中上位置まで被覆する弾性糸を含まないニット編みの脛部１００ｆが連続結合する。脛部１００ｆの上端には本健康促進用靴下１００の上端縁部まで延びる第一ズレ落ち防止部１００ｇが連続結合されている。第一ズレ落ち防止部１００ｇは、脛又は脹脛周囲で本健康促進用靴下１００がズレ落ちないように表編みと裏編みを交互に編む編み方で横方向の伸縮性に富むリブ編で形成される。また、脛部１００ｆには第一ズレ落ち防止部１００ｇの下方で脛部１００ｆの中間位置下方に第二ズレ落ち防止部１００ｈを有する。脛部１００ｆは弾性糸を含まない通常のニット編みで形成されるため伸縮性に富んでいて健康促進用靴下１００の上端縁部の第一ズレ落ち防止部１００ｇだけではズレ落ちを十分に防止できないため下方に弾性糸を組み合わせたニット編みで形成される第二ズレ落ち防止部１００ｈによりズレ落ちを十分に抑制している。
【００３７】
≪本発明の健康促進用靴下例１≫
図４は本発明の第一の実施形態であり、五本指タイプの健康促進用靴下１０の左足用を示す図である。図４の実施形態の健康促進用靴下１０は、概ね図１の従来例と同様に上端部（図４の上端）を開口する筒形状の本体部（指袋１０ａ以外）と各五指に対応する指袋１０ａとで形成される。
【００３８】
本健康促進用靴下１０には、下方から順に概ね、前記指袋１０ａと、指袋の上方から中足骨の先端近傍に至る先端部１０ｊ、先端部１０ｊの上端と連続結合して概ね中足骨全体に亘って位置する中央部１０ｂ、中央部１０ｂの上端と連続結合して概ね中楔状骨から距骨近傍に位置する足根元部１０ｃ、足根元部１０ｃの上端と連続結合して概ね脛骨下方の足首近傍に位置する足首部１０ｅ、足首部１０ｅの上端と連続結合して概ね脛骨下方から中上方までに位置する脛部１０ｆ、脛部１０ｆの上端と連続結合して上端部までに至る第一ズレ落ち防止部１０ｇ、で構成され、それぞれ編み方が異なっている。なお、図１の従来の健康促進用靴下１０と異なり、本健康促進用靴下１０では、脛部１０ｆの中間位置下方に第二ズレ落ち防止部を備えていない。
【００３９】
本健康促進用靴下１０を構成する各部分１０ａ〜１０ｊについて、図１の従来の健康促進用靴下１０と同様に指袋１０ａは、先端（図４の下端）が閉鎖して内部で上方に開口し、対応する各足指をそれぞれ挿入・被覆する。第１指（親指）は指袋１０ａの（１）、第２指は指袋１０ａの（２）、第３指は指袋１０ａの（３）、第４指は指袋１０ａの（４）、第５指は指袋１０ａの（５）にそれぞれ挿入・被覆される。
【００４０】
また、指袋１０ａは基節骨上方まで延びており、指袋１０ａの上端は健康促進用靴下１０の本体部に連続結合し、五指の基節骨をまとめて被覆している。指袋１０ａは、それぞれの上方から編み方が変化しており、健康促進用靴下１０の本体部の基節骨をまとめて被覆する部分が後述する中央部１０ｂに至るまで同様の編み方で形成される。この部分を本明細書では先端部１０ｊと称する。
【００４１】
指袋１０ａの先端（下端）から先端部１０ｊに至るまでの編み方は、図１の健康促進用靴下１００と同様に弾性糸を組み合わせず綿糸及び／又は化学繊維を使用した普通のニット編みをしており、例えば本例１０では靴下の編み方として比較的耐久性を有する普通のニット編み（メリヤス編み）のうちの平編みを採用している。
【００４２】
一方、先端部１０ｊから上方の本健康促進用靴下１０の本体部１０ｂ〜１０ｆは概ねタック編みで形成されている。ここでタック編みについて説明する。タック編みは、ニット編みにおける緯編みの一種であり、普通の編み方のように１本の糸から編針（図示せず）が糸をくわえて前に作った各ループの間を潜り抜けて新しいループを作って繋いでいくが、タック編みの場合には新たなループが前のループを潜り抜けないで単に前のループの上に重ねておき、次の縦１段下の糸を編むときに初めて前々及び前の２本のループの間を潜り抜けて新しいループを作って繋いでいく編み方をしている。
【００４３】
具体的には、図５に示すタック編みの例では１本の綿糸及び／又は化学繊維１ａ´の各ループごとに縦１段下の綿糸及び／又は化学繊維１ｂ´の各ループを繋いでいくときに綿糸及び／又は化学繊維１ｂ´の左から２番目及び４番目のループについては、縦一段上の左から２番目及び４番目のループには潜らさずに単に上におくだけにし、さらに縦１段下の綿糸及び／又は化学繊維１ｃ´のループを編むときに、その左から２番目及び４番目のループを縦一段上の綿糸及び／又は化学繊維１ｂ´及び縦二段上の綿糸及び／又は化学繊維１ａ´の左から２番目及び４番目のループの間を潜らせてまとめて繋いでいる。このように工程の一部において新たなループが前及び前々のループをまとめて繋いでいる部分を有する編み方をタック編みと称している。このタック編みの場合、ニット編みの一種であり少なくとも横方向には同様の伸縮性を有するが、ループをまとめて繋ぐ部分においては（ひいては全体として）縦方向に堅く伸縮性が小さくなるという特長を有する。なお、綿糸及び／又は化学繊維である表糸とポリウレタンやＦＴＹ等の化学繊維とを図５のタック編みしても良い。
【００４４】
再び図４に戻って先端部１０ｊの上端には中央部１０ｂが連続結合している。この中央部１０ｂは図１の例と同様に概ね中足骨の周囲に所定以上の圧力をかけて中足骨のアーチを矯正する。この中央部１０ｂは先端部１０ｊと同様に綿糸及び／又は化学繊維を使用した上述のタック編みが採用されており、中足骨へのサポート力（アーチへの矯正力）を増加させるために別途、弾性糸を組み合わせている。したがって、中央部１０は、普通のニット編みより縦方向の伸縮性が小さく、弾性糸が組み合わされていないので先端部１０ｊより横方向に伸縮性（伸展性）が小さい。
【００４５】
また、中央部１０ｂの上端の足根元部１０ｃ、足首部１０ｅ、踵部１０ｄ、脛部１０ｆまでは弾性糸と組み合さないタック編みで形成される点、第二ズレ落ち防止部がない点を除いて図１の従来例と概ね同様である。また、脛部１０ｆの上端には本健康促進用靴下１０の上端縁部まで延びる第一ズレ落ち防止部１０ｇが連続結合されている。第一ズレ落ち防止部１０ｇは図１の例の第一ズレ落ち防止部１００ｇと同様に脛又は脹脛周囲で本健康促進用靴下１０がズレ落ちないように表編みと裏編みを交互に編み、横方向の伸縮性に富むリブ編で形成される。
【００４６】
≪本発明の健康促進用靴下例２≫
図６は本発明の第二の実施形態として所謂ショートソックス式の健康促進用靴下２０を示している。前述したように図１の従来タイプの健康促進用靴下では、足首までのショートソックスを実用化することは難しかった。健康促進用靴下では、踵と足指先端とを位置決めして最も重要な中足骨のサポートをする中央部を正しく位置決めする必要があるが、普通のニット編みを採用した場合、縦方向の伸縮性に富んでいるため第二ズレ落ち防止部１００ｈを設けないとズレ落ちにより位置決め精度が低下する。したがって、第二ズレ落ち防止部を設けるスペースがないショートソックスに不利であった。
【００４７】
この点、第二の実施形態であるショートソックス式の健康促進用靴下２０では、図３（ｂ）にも示すようにリブ編みで形成される第一ズレ落ち防止部２０ｇの下方に第二ズレ落ち防止部を設けていないことがわかる。
【００４８】
その他、指袋２０ａ、先端部２０ｊ、中央部２０ｂ、足根元部２０ｃ、足首部２０ｅ、脛部２０ｆ、踵部２０ｄについては、それぞれ対応する第一の実施形態の指袋１０ａ、先端部１０ｊ、中央部１０ｂ、足根元部１０ｃ、足首部１０ｅ、脛部１０ｆ、踵部１０ｄと同様である。
【符号の説明】
【００４９】
１０，２０  健康促進  用靴下
１０ａ，２０ａ  指袋
１０ｂ，２０ｂ  中央部
１０ｊ，２０ｊ  先端部
１０ｃ，２０ｃ  足根元部
１０ｅ，２０ｅ  足首部
１０ｆ，２０ｆ  脛部
１０ｇ，２０ｇ  第一ズレ落ち防止部
【図１】
2022001675.tif 000003
【図２】
2022001675.tif 000004
【図３】
2022001675.tif 000005
【図４】
2022001675.tif 000006
【図５】
2022001675.tif 000007
【図６】
2022001675.tif 000008